(57)【要約】【課題】、既設杭の引抜作業における作業性及び作業効率が高く且つ作業上の信頼性に優れた既設杭の引抜装置を提案する。【解決手段】内方へ張出可能な掛止爪３１を設けたケーシング１を備え、ケーシング１の外周側に油圧シリンダ２１に連結された連結ロッド２１を配置する一方、掛止爪３１を、ガイド長穴３５に係入された状態でロッド２１の下端に連結された枢支軸３２に枢支するとともに、カム体３３と係合するガイド部３１ａ，３１ｂを設け、ロッド２１が降下するとき、掛止爪３１はそのガイド部３１ａ，３１ｂがカム体３３と係合することで枢支軸３２周りに傾動されてその先端側がケーシング１の内部空間１６側へ張出すように構成する。係る構成によれば、既設杭４に対する掛止状態が安定且つ確実となり、延いては既設杭４の引抜作業における信頼性が向上する。【選択図】図２
2019194422.tif 000002
【特許請求の範囲】
【請求項１】
支持基台に吊下支持されるとともに既設杭より大きい内径を有し且つその下端部には掘削刃と内方へ張出可能な掛止爪を設けたケーシングを備え、該ケーシングを、上記既設杭を内包した状態で該既設杭の先端近傍まで打ち込み、上記掛止爪を上記既設杭に掛止させて該既設杭を上記ケーシングと共に引き抜くようにした既設杭の引抜装置であって、
上記ケーシングの外周側には、該ケーシングに沿って上下方向に延出し且つその上端が上記ケーシングの上端部に配置した油圧シリンダに連結されたロッドが配置される一方、
上記掛止爪は、上記ケーシングに設けた開口に臨んでその外方側に配置され且つその上端部は上下方向に延びる直状のガイド長穴に係入された状態で上記ロッドの下端に連結された枢支軸に枢支されるとともに、その先端側には上記開口の下端部に設けたカム体と係合するガイド部が設けられ、
上記ロッドがその上昇状態から降下するとき、上記掛止爪は上記ガイド部が上記カム体と係合することで上記枢支軸周りに傾動されてその先端側が上記開口を通して上記ケーシングの内部空間側へ張出すように構成されたことを特徴とする既設杭の引抜装置。
【請求項２】
請求項１において、
上記カム体は上下方向に二つのカム部を備える一方、
上記掛止爪の上記ガイド部は、該掛止爪がその下動に伴って次第に上記ケーシングの内部空間側へ傾動して張出すとき、該ガイド部が上記二つのカム部に同時に係合するようにその形状が設定されていることを特徴とする既設杭の引抜装置。
【請求項３】
請求項１又は２において、
上記掛止爪と該掛止爪と油圧シリンダを連動可能に連結するロッドを備えて構成される掛止機構が、上記ケーシングの周方向に等間隔で２個又は３個以上備えられていることを特徴とする既設杭の引抜装置。
【発明の詳細な説明】
【技術分野】
【０００１】  本願発明は、地中に埋設された既設杭を破壊することなく引き抜くための既設杭の引抜装置に関するものである。
【背景技術】
【０００２】  一般に、建物の建て替え工事に際しては、解体される古い建物においてその基礎固めとして埋設されていた杭（即ち、既設杭）を除去することが必要であり、この既設杭の除去方法としては、大きく分けて二つあり、その一つは埋設状態にある既設杭を順次破砕して除去する方法であり、他の一つは既設杭を破壊することなく地中から引き抜いて除去する方法である。そして、この後者の除去方法に関しては、従来から種々の提案がされている（例えば、特許文献１、２  参照）。【０００３】  特許文献１に示される既設杭の引抜装置は、既設杭より大きい内径をもつとともにその先端部に掘削刃を備えたケーシングの下部周面に、該周面を厚さ方向に貫通して内部に張り出し可能な持ち上げ爪を設けており、上記ケーシングを、上記既設杭を取り囲んで地中に打ち込み、上記持ち上げ爪を上記既設杭の下端側において張り出して該下端に掛止させ、この状態で上記ケーシングと共に上記既設杭を持ち上げて引き抜くものである。【０００４】  特許文献２に示される既設杭の引抜装置は、打込機に連結され、既設杭に対して打込まれる円筒状のケーシングと、このケーシングの下部に、油圧シリンダによる駆動でケーシング内の既設杭の下端よりも下方に突出するように取付けられたチャック爪とを備え、上記ケーシングを、既設杭を取り囲んで該既設杭の下端側まで打ち込み、ここで上記油圧シリンダの駆動力で上記チャック爪を内方へ張り出させて該既設杭の下端に掛止させ、この状態で上記ケーシングと共に上記既設杭を持ち上げて引き抜くものである。
【先行技術文献】
【特許文献】
【０００５】
【特許文献１】特開２００４−３３９８９２号公報
【特許文献２】特開２０００−１５４５４１号公報
【発明の概要】
【発明が解決しようとする課題】
【０００６】  ところが、特許文献１に示される引抜装置では、上記持ち上げ爪がケーシング壁に対して上下方向に搖動可能に枢支され、常時自重により張出方向へ付勢されており、ケーシングの打ち込み時には、該持ち上げ爪は既設杭の頂部とか外周面によって上方へ回動されてケーシングに対する上記既設杭の相対移動を許容する一方、該持ち上げ爪が既設杭の下端を超えて下動すると該既設杭による回動規制が解除され、自重によってケーシング内方へ張り出して該既設杭の下端と掛止可能となるものである。【０００７】  したがって、ケーシングを既設杭の下端深さまで打ち込んで該下端に上記持ち上げ爪を掛止させて該ケーシングとともの既設杭を引き抜くことはできるものの、上記持ち上げ爪を上記既設杭の中間部分に掛止させて引き抜くことは構造上不可能であり、このため例えば既設杭の周囲の土壌が比較的軟質で、既設杭の下端側が周囲の土壌にある程度埋まったままの状態でも、該土壌の接触抵抗に拘らず既設杭を引き抜くことができるような場合でも、上記ケーシングを既設杭の下端近傍まで打ち込む必要があり、作業性及び作業効率という点からして不利であった。【０００８】  また、特許文献２に示される引抜装置によれば、上記チャック爪は円弧状のカム溝を有し、且つこのカム溝を上記ケーシングの下端側に設けた軸に挿通することにより、ケーシングの外側上方に略垂直に添う退出姿勢と、該ケーシング内に向けて略水平に突出する突出姿勢とにわたって上記軸を中心にして垂直方向に進退動自在とされている。そして、上記油圧シリンダが縮小動作すると上記チャック爪がケーシング外に略垂直姿勢に退出し、該油圧シリンダが伸長するとチャック爪が連結ロッドで押し下げられてケーシング内に略水平姿勢に突出し、上記既設杭の下端に掛止されるようになっている。【０００９】  このため、該既設杭の下端が尖頭状形体である場合には特に、上記ケーシングと共に上記既設杭を引き上げるとき、該チャック爪には上記カム溝に沿ってこれをケーシング外方へ押し出す力が作用し、この結果、上記連結ロッドにはケーシングの径方向外側への曲げ作用が発生し、しかもこの曲げ作用は既設杭に作用する引抜抵抗の増加とともに大きくなることから、特に上記既設杭の周囲の地盤が硬質である場合には看過できない状態となり、延いては既設杭の引抜作業の信頼性を維持することが困難になる恐れがある。【００１０】  そこで本願発明は、既設杭の引抜作業における作業性及び作業効率が高く且つ作業上の信頼性に優れた既設杭の引抜装置を提案することを目的としてなされたものである。
【課題を解決するための手段】
【００１１】  本願発明ではかかる課題を解決するための具体的手段として次のような構成を採用している。【００１２】  本願の第１の発明では、支持基台に吊下支持されるとともに既設杭より大きい内径を有し且つその下端部には掘削刃と内方へ張出可能な掛止爪を設けたケーシングを備え、該ケーシングを、上記既設杭を内包した状態で該既設杭の先端近傍まで打ち込み、上記掛止爪を上記既設杭に掛止させて該既設杭を上記ケーシングと共に引き抜くようにした既設杭の引抜装置において、上記ケーシングの外周側に、該ケーシングに沿って上下方向に延出し且つその上端が上記ケーシングの上端部に配置した油圧シリンダに連結されたロッドを配置する一方、上記掛止爪は、上記ケーシングに設けた開口に臨んでその外方側に配置し且つその上端部を上下方向に延びる直状のガイド長穴に係入された状態で上記ロッドの下端に連結された枢支軸に枢支するとともに、その先端側には上記開口の下端部に設けたカム体と係合するガイド部を設け、上記ロッドがその上昇状態から降下するとき、上記掛止爪は上記ガイド部が上記カム体と係合することで上記枢支軸周りに傾動されてその先端側が上記開口を通して上記ケーシングの内部空間側へ張出すように構成したことを特徴としている。【００１３】  本願の第２の発明では、上記第１の発明において、上記カム体に上下方向に二つのカム部を備える一方、上記掛止爪の上記ガイド部を、該掛止爪がその下動に伴って次第に上記ケーシングの内部空間側へ傾動して張出すとき該ガイド部が上記二つのカム部に同時に係合するようにその形状を設定したことを特徴としている。【００１４】  本願の第３の発明では、上記第１又は第２の発明に係る既設杭の引抜装置において、上記掛止爪と該掛止爪と油圧シリンダを連動可能に連結するロッドを備えて構成される掛止機構を、上記ケーシングの周方向に等間隔で２個又は３個以上備えたことを特徴としている。
【発明の効果】
【００１５】  （ａ）本願の第１の発明
本願の第１の発明に係る既設杭の引抜装置によれば、以下のような効果が得られる。【００１６】（ａ−１）上記掛止爪は、上記ロッドの降下に伴って次第にその下端側から上記ケーシングの内部空間内へ延出する構成であることから、例えば、上記ケーシングを上記既設杭の下端近傍の深さまで打ち込んで、上記掛止爪を上記既設杭の下端より下方において内部空間内に延出させて該既設杭の下端に掛止し、これをケーシングと共に引き抜くこと（即ち、深度引抜形態）のみならず、上記ケーシングを上記既設杭の中間位置の深さまで打ち込んで、上記掛止爪を上記既設杭の中間部分の外周面に掛止させてケーシングと共に引き抜くこと（即ち、浅度引抜形態）もでき、例えば、特許文献１に記載の既設杭の引抜装置のように引抜作業形態として深度引抜形態しか採り得ないものに比して、既設杭の引抜作業における高い作業性及び作業効率を得ることができる。【００１７】（ａ−２）
上記掛止爪が、上記ケーシングに設けた開口に臨んでその外方側に配置され且つその上端部が上下方向に延びる直状のガイド長穴に係入された状態で上記ロッドの下端に連結された枢支軸に枢支されるとともに、その先端側には上記開口の下端部に設けたカム体と係合するガイド部が設けられ、上記ロッドがその上昇状態から降下するとき、上記掛止爪は上記ガイド部が上記カム体と係合することで上記枢支軸周りに傾動されてその先端側が上記開口を通して上記ケーシングの内部空間側へ張り出すように構成されているので、上記ケーシングの内部空間側へ張出された上記掛止爪を既設杭に掛止し、該既設杭を上記ケーシングと共に引き抜く場合、上記既設杭の引抜抵抗によって上記掛止爪に掛かる回転力は、上記カム体と上記掛止爪との係合部分における接触力と上記枢支軸とこれが係入された上記ガイド長穴の端部との係合部における接触力とによる偶力モーメントとして支持され、上記ロッドには上記掛止爪の張り出し時の圧縮力が残存するものの、これをケーシングの径方向外方へ曲げ変形させる力は作用しない。この結果、例えば、特許文献２に示される引抜装置のように、既設杭の引き抜き作業に伴ってチャック爪に作用する力が、該チャック爪が連結されたロッドに対して曲げ力として作用するような場合に比して、既設杭に対する掛止状態が安定且つ確実となり、延いては既設杭の引抜作業における信頼性が向上する。【００１８】  （ｂ）本願の第２の発明
本願の第２の発明に係る既設杭の引抜装置によれば、上記第１の発明における上記（ａ−１）及び（ａ−２）に記載の効果に加えて以下のような特有の効果が得られる。即ち、この発明においては、上記カム体に上下方向に二つのカム部を備える一方、上記掛止爪の上記ガイド部を、該掛止爪がその下動に伴って次第に上記ケーシングの内部空間側へ傾動して張出すとき該ガイド部が上記二つのカム部に同時に係合するようにその形状を設定したので、上記掛止爪のガイド部と上記カム体のカム部の間の接触圧を低く抑えることができ、この結果、該掛止爪の耐久性が向上し、延いては該掛止爪による既設杭の安定した掛止作用を長期に亘って維持することができる。【００１９】  （ｃ）本願の第３の発明
本願の第３の発明では、上記第１又は第２の発明に係る既設杭の引抜装置において、上記掛止爪と該掛止爪と油圧シリンダを連動可能に連結するロッドを備えて構成される掛止機構を、上記ケーシングの周方向に等間隔で２個又は３個以上備えているので、例えば、上記掛止爪ユニットを２個備えたものにおいては、上記掛止爪による掛止力が比較的小さいことから、比較的小形且つ軽量の既設杭の引き抜きに使用するに最適であり、上記掛止爪ユニットを３個以上備えたものにおいては、上記掛止爪による掛止力が比較的大きいことから、比較的大形且つ重量の既設杭の引き抜きに使用するに最適であり、したがって、これら複数種類の引抜装置を、引抜対象の既設杭の大きさ、重さ等の条件に対応させて選択することで、常に効率的な引抜作業を実現することができる。
【図面の簡単な説明】
【００２０】
【図１】  本願発明の第１の実施形態に係る既設杭の引抜装置の全体図である。
【図２】  図１のＡ部の一部断面拡大図である。
【図３】  図１のＢ部の拡大断面図であって、掛止機構部分の待機状態を示している。
【図４】  上記掛止機構部分の作動開始状態を示す拡大断面図である。
【図５】  上記掛止機構部分の杭先端部への掛止可能状態を示す拡大断面図である。
【図６】  上記掛止機構部分の杭中間部への掛止状態を示す拡大断面図である。
【図７】  図３のＣ−Ｃ断面図である。
【図８】  本願発明の第２の実施形態に係る既設杭の引抜装置の全体図である。
【発明を実施するための形態】
【００２１】Ａ：第１の実施形態
「既設杭の引抜装置の全体構成」
図１には、本願発明の第１の実施形態に係る既設杭の引抜装置Ｚを示している。この引抜装置Ｚは、リーダ等の支持基台に吊下支持されるアースオーガー３の下側にスイベルジョイント２を介してケーシング１を連結して構成される。
【００２２】  上記ケーシング１は、引抜対象の既設杭よりも所定寸法だけ大きい内径寸法（例えば、５００ｍｍ〜６００ｍｍ程度）を有する管体で構成されるもので、この実施形態では、順次同軸上に連結される上部ケーシング１１と中間ケーシング１２及び下部ケーシング１３から成る三分割構造としており、上記上部ケーシング１１の上端が上記スイベルジョイント２の下側に連結される。
【００２３】  そして、このケーシング１は、上記アースオーガー３により回転させられながら、既設杭を内包した状態でこれに沿って土中に打ち込まれて該既設杭の周囲の土壌を縁切りするものであって、最下端に位置する上記下部ケーシング１３の下端には、図３及び図７にも拡大図示するように、該下端周壁に取り付けられた複数の先端掘削刃１４と、下端外周よりも径方向外側に突出状態で取り付けられた複数の外側掘削刃１５が備えられている。
【００２４】  そして、上記各先端掘削刃１４によって上記既設杭４の外周に接した土壌が該外周から適宜離間した位置で切断され、縁切りが行われる。さらに、上記縁切り部分の外側部分が上記複数の外側掘削刃１５によって所定幅の円環状に掘削され、該下部ケーシング１３の下端外周に設けられた後述の爪カバー３４の進行隙間が形成される。
【００２５】  なお、ここでは図示していないが、実際には、上記下部ケーシング１３の先端側には噴流ノズルが設けられ、該上記ケーシング１の上端側から供給される水を該噴流ノズルから下部ケーシング１３の先端近傍に噴射して土壌の崩壊を促進させながら、上記先端掘削刃１４及び外側掘削刃１５による掘削作業が行われる。
【００２６】  さらに、上記ケーシング１には、該ケーシング１を既設杭４の周囲に打ち込んだ後、該４を該ケーシング１側に掛止させて該ケーシング１と共に上記既設杭４を引き上げる（引き抜く）ために、次述する本願発明の要旨たる掛止機構３０が備えられている。以下、この掛止機構３０についてこれを詳述する。
【００２７】  「掛止機構３０」
この掛止機構３０は、図３に示すように上記下部ケーシング１３の下端近傍の外周面に取り付けられた掛止爪３１と、該掛止爪３１と係合可能に取り付けられたカム体３３と、図２に示すように上記上部ケーシング１１の上端側に取り付けられた油圧シリンダ２０と該油圧シリンダ２０と上記掛止爪３１を連動可能に連結するロッド２１を備えて構成される。なお、この実施形態では、上記ロッド２１を、丸棒で構成される上部ロッド２２と角棒で構成される下部ロッド２３の２分割構造としている。また、上記掛止機構３０は、上記下部ケーシング１３の軸心を挟んで対向する二位置にそれぞれ配置されている。
【００２８】  図３及び図７に示すように、上記下部ケーシング１３の下端部の周壁には、矩形状の開口１８が設けられるとともに、該開口１８をその外側から覆うようにして、爪カバー３４が取り付けられている。また、この爪カバー３４の左右の側壁には、上下方向に延びるガイド長穴３５が形成されている。
【００２９】  上記掛止爪３１は、図３及び図７に示すように、略長矩形の厚板体で一体構成され、その上端部には上記爪カバー３４の左右のガイド長穴３５に跨って係入された枢支軸３２が該上端部を幅方向に貫通した状態で枢着される一方、その下端部は表面３１Ａ側から裏面３１Ｂ側へ削り込まれた薄肉の先端部３１ａとされている。そして、この表面３１Ａには、上記先端部３１ａに連続する肩部３１ｂと、肩部３１ｂから次第に高さが漸増するように傾斜した傾斜ガイド部３１ｃと、該傾斜ガイド部３１ｃに連続して裏面３１Ｂと略平行に延びる直状ガイド部３１ｄが設定されている。一方、上記掛止爪３１の裏面３１Ｂは、平坦状の掛止面３１ｅとされている。
【００３０】  上記掛止爪３１は、その裏面３１Ｂを上記下部ケーシング１３の表面に対向させた姿勢で、上記枢支軸３２を介して上記爪カバー３４側に取り付けられている。したがって、この状態では、上記掛止爪３１は上記爪カバー３４のガイド長穴３５に沿って上下方向に昇降可能とされるとともに、該枢支軸３２を中心として表裏方向に傾動し得るようになっている。
【００３１】  この掛止爪３１の昇降駆動は、上記油圧シリンダ２０によって行われる。即ち、図３及び図７に示すように、上記掛止爪３１が枢着された上記枢支軸３２には、先端材３６を介して上記下部ロッド２３の下端が連結されている。また、図２に示すように、上記上部ロッド２２の上端はスライダ２４を介して上記油圧シリンダ２０に連結されている。したがって、上記油圧シリンダ２０の伸縮動作が上記ロッド２１を介して上記掛止爪３１に伝達され、該掛止爪３１は、上記ガイド長穴３５の長さの範囲内で昇降駆動されることになる。
【００３２】  なお、上述のように上記油圧シリンダ２０はスライダ２４を介して上記上部ロッド２２に連結されているが、この場合、上記スライダ２４はケーシング１側に固定したケース２５内を摺動可能とされ、且つこのスライダ２４の一端に連結ピン２６を介して上記油圧シリンダ２０が連結され、該スライダ２４の他端には連結ピン２７を介して上記上部ロッド２２が連結されているので、上記油圧シリンダ２０の伸縮力は的確に上記ロッド２１にその軸力として伝達され、上記掛止爪３１の昇降動が円滑且つ的確に行われる。
【００３３】  一方、上記掛止爪３１の傾動動作は、上記掛止爪３１が上記カム体３３に係合することで実現される。即ち、この実施形態においては、図３及び図７に示すように、上記カム体３３を略Ｌ形の断面形状をもつ形材で構成し、その両縁部をそれぞれ第１カム部３３ａと第２カム部３３ｂとしている。そして、このカム体３３を、その第１カム部３３ａが上側に位置し、且つ上記第２カム部３３ｂが上記内部空間１６に指向するように姿勢を設定した上で、これを上記ケーシング１に設けた上記開口１８の下端縁に固定している。
【００３４】  なお、この場合における上記掛止爪３１と上記カム体３３の位置関係は次の通りである。即ち、図３に示すように、上記油圧シリンダ２０によって上記掛止爪３１がその上限位置（上記枢支軸３２が上記ガイド長穴３５の上端に位置した状態）にあるときには、上記掛止爪３１は上記枢支軸３２から自然垂下し、その先端部３１ａは上記カム体３３の第１カム部３３ａと非係合状態で対向し、該掛止爪３１全体が上記下部ケーシング１３の外周面の外側において待機している。この待機姿勢においては、上記掛止爪３１の下部側は上記内部空間１６を通して上記ケーシング１の内部空間１６に臨んでいる。
【００３５】  図３に示す状態から上記油圧シリンダ２０が伸長動して上記ロッド２１を介して上記掛止爪３１が降下方向に移動されると、先ず図４に示すように、上記掛止爪３１の肩部３１ｂが上記カム体３３の第１カム部３３ａに係合し、該掛止爪３１は該第１カム部３３ａからのカム作用を受けてその下端側が上記開口１８側へ移動するように傾動が開始される。
【００３６】  図４に示す状態から上記油圧シリンダ２０がさらに伸長動して上記ロッド２１を介して上記掛止爪３１が降下方向に移動されると、上記掛止爪３１の傾斜ガイド部３１ｃと直状ガイド部３１ｄがそれぞれ上記カム体３３の第１カム部３３ａ及び第２カム部３３ｂと係合し、次第に上記ケーシング１の内部空間１６側に張り出される。そして、図５に示すように、上記枢支軸３２が上記ガイド長穴３５の下端に達してそれ以上の降下が規制された状態において、上記掛止爪３１は上記内部空間１６内に大きく下降傾斜状態に張り出され、上記ケーシング１の軸心部に位置する既設杭４の下端面４ａに対してその下方側から掛止し得る状態となる。
【００３７】  なお、この実施形態では、上記掛止爪３１の傾斜ガイド部３１ｃと直状ガイド部３１ｄの形状、及び上記カム体３３の第１カム部３３ａと第２カム部３３ｂの位置を、常時上記傾斜ガイド部３１ｃと直状ガイド部３１ｄが上記第１カム部３３ａと第２カム部３３ｂに係合する（即ち、常時２点で係合するように）ように設定し、この係合点に掛かる面圧を低下させるようにしているが、本願発明の他の実施形態においては常時１点で係合させるとか、特定の位置においてのみ２点で係合し、それ以外では１点で係合するように設定することも可能である。
【００３８】  図５に示すように上記掛止爪３１の掛止面３１ｅが上記既設杭４の下端側に掛止した状態で、上記ケーシング１を引き上げると、上記掛止爪３１に掛止された上記既設杭４が該ケーシング１と共に、土中から引き上げられる（引き抜かれる）ことになる。
【００３９】  このような上記既設杭４の引抜時においては、上記既設杭４の引抜抵抗によって上記掛止爪３１に掛かる回転力（即ち、既設杭４が上記掛止爪３１の掛止面３１ｅに当接係合して発生する接触圧による該掛止爪３１の上記枢支軸３２回りの回転力）は、上記カム体３３と上記掛止爪３１との係合部分における接触力と上記枢支軸３２とこれが係入された上記ガイド長穴３５の端部との係合部における接触力とによる偶力モーメントとして支持される。したがって、上記ロッド２１には上記掛止爪３１の張り出し時の圧縮力が残存するものの、これをケーシング１の径方向外方へ曲げ変形させるような力は作用しない。この結果、例えば、特許文献２に示される引抜装置のように、既設杭の引き抜き作業に伴ってチャック爪に作用する力が、該チャック爪が連結されたロッドに対して曲げ力として作用するような場合に比して、既設杭４に対する上記掛止爪３１の掛止状態が安定且つ確実となり、延いては既設杭４の引抜作業における信頼性が向上することになる。
【００４０】  以上は、上記掛止爪３１を上記既設杭４の下端に掛止させてケーシング１とともの上記既設杭４を土中から引き抜く場合であるが、既設杭の引抜作業の形態としては、上記掛止爪３１を上記既設杭４の下端に掛止させて引き抜きを行うのではなく、該掛止爪３１を既設杭４の中間位置に掛止させて引抜作業を行うこともある。
【００４１】  このような作業形態時には、図６に示すように、上記ケーシング１の下端部の上記掛止機構３０が上記既設杭４の下端に達する前に、上記油圧シリンダ２０によって上記掛止爪３１を降下させ、上記掛止爪３１を内部空間１６側に張り出させてその先端部３１ａ部分を上記既設杭４の外周面に押し付けてこれに掛止させる。この際、上記油圧シリンダ２０による上記掛止爪３１の降下方向への押付力を保持させる。すると、上記既設杭４の外周面と上記掛止爪３１の先端部３１ａとの接触により発生する掛止力（即ち、この両者間に作用する摩擦力）が、上記掛止爪３１の傾斜ガイド部３１ｃ及び直状ガイド部３１ｄと上記カム体３３の第１カム部３３ａ及び第２カム部３３ｂとの間に作用する接触力による偶力として保持され、上記掛止爪３１を上記既設杭４の下端側に掛止させた場合と同様に、上記既設杭４を確実に引き抜くことができる。
【００４２】Ｂ：第２の実施形態
図８には、本願発明の第２の実施形態に係る既設杭の引抜装置Ｚを示している。この実施形態の引抜装置Ｚは、比較的大型且つ重量の既設杭の引き抜に使用するに好適な引抜装置Ｚであって、例えば、内径が８００ｍｍ〜１０００ｍｍのケーシング１を備えるとともに、上記下部ケーシング１３の下端近傍の外周面に取り付けられた掛止爪３１と、該掛止爪３１と係合可能に取り付けられたカム体３３と、上記上部ケーシング１１の上端側に取り付けられた油圧シリンダ２０と、該油圧シリンダ２０と上記掛止爪３１を連動可能に連結するロッド２１を備えて構成される掛止機構３０を、上記ケーシング１の周方向に等間隔で３個備えて構成される。
【００４３】  このように上記掛止機構３０を上記ケーシング１の周方向に等間隔で３個備えた引抜装置Ｚにおいては、上記掛止爪３１による掛止力が、該掛止爪３１を２個備えた上記第１の実施形態に係る引抜装置Ｚの場合よりも大きいことから、例えば、大型且つ重量の既設杭の引き抜きに使用するに好適で、信頼性の高い引抜作業が可能となる。
【００４４】  ここでは、上記掛止機構３０を３個備えた引抜装置Ｚを示したが、本願発明は係る構成に限定されるものではなく、他の実施形態では上記掛止機構３０を３個以上備えて構成することもできる。
【００４５】  なお、上記以外の構成については、上記第１の実施形態における引抜装置Ｚの場合と同じであるため、ここでは該第１の実施形態の各図面に記載の部材と同一部材には同じ符号を付すとともに、該第１の実施形態の該当説明を援用することで、ここでの説明は省略する。
【産業上の利用可能性】
【００４６】  本願発明に係る既設杭の引抜装置は、土木、建設工事における既設杭の除去作業に広く利用できるものである。
【符号の説明】
【００４７】    １  ・・ケーシング
２  ・・スイベルジョイント
３  ・・アースオーガー
４  ・・既設杭
４ａ  ・・尖頭面
４ｂ  ・・側周面
１１  ・・上部ケーシング
１２  ・・中間ケーシング
１３  ・・下部ケーシング
１８  ・・開口
２０  ・・油圧シリンダ
２１  ・・ロッド
２２  ・・上部ロッド
２３  ・・下部ロッド
２４  ・・スライダ
３０  ・・掛止機構
３１  ・・掛止爪
３１ａ  ・・先端部
３１ｂ  ・・肩部
３１ｃ  ・・傾斜ガイド部
３１ｄ  ・・直状ガイド部
３１ｅ  ・・掛止面
３２  ・・枢支軸
３３  ・・カム体
３３ａ  ・・第１カム部
３３ｂ  ・・第２カム部
３４  ・・爪カバー
３５  ・・ガイド長穴
Ｚ  ・・引抜装置
【図１】
2019194422.tif 000003
【図２】
2019194422.tif 000004
【図３】
2019194422.tif 000005
【図４】
2019194422.tif 000006
【図５】
2019194422.tif 000007
【図６】
2019194422.tif 000008
【図７】
2019194422.tif 000009
【図８】
2019194422.tif 000010